(57)【要約】【課題】ＰＣカードスロットに挿入されたＰＣカード型無線機が良好な電波状態を得ることができると共に、ＰＣカードスロットに対する汎用ＰＣカードの挿入の互換性を確保することができるＰＣカード接続装置を提供する。【解決手段】アンテナ内蔵タイプのＰＣカードスロット１にＰＣカード型無線機１２を挿入すると、ＰＣカード型無線機１２の内部アンテナ接続用同軸コネクタ１４とＰＣカードスロット１のスライダ部７に設けられた同軸コネクタ１１とが接続するので、ＰＣカード型無線機１２は、ＰＣカードスロット１に設けられている内部アンテナからの高周波信号を処理することができる。この場合、ＰＣ側の内部アンテナを利用する構成であるので、良好な電波状態で高周波信号を処理することができる。【選択図】  図１
2004326332.tif 000002
【特許請求の範囲】
【請求項１】
カード挿入通路に突出した突出位置と上記カード挿入通路から退出した退出位置との間で移動可能に設けられた移動部と、この移動部に設けられた同軸コネクタと、この同軸コネクタと接続された内部アンテナとを有したＰＣカードスロットと、
このＰＣカードスロットに挿入された状態で前記移動部に設けられた同軸コネクタと接続する内部アンテナ接続用同軸コネクタと、この内部アンテナ接続用同軸コネクタからの高周波信号を処理する信号処理手段とを有したＰＣカード型無線機とを備え、
前記移動部は、前記ＰＣカード型無線機が前記ＰＣカードスロットに挿入された状態で前記突出位置に位置し、汎用ＰＣカードが前記ＰＣカードスロットに挿入された状態で前記退出位置に位置し、
前記信号処理手段は、前記ＰＣカード型無線機が前記ＰＣカードスロットに挿入された状態では、前記内部アンテナ接続用同軸コネクタを通じて前記内部アンテナからの高周波信号を処理することを特徴とするＰＣカード接続装置。
【請求項２】
前記ＰＣカード型無線機は、外部アンテナ接続用同軸コネクタを有し、
前記信号処理手段は、前記内部アンテナ接続用同軸コネクタを通じて前記内部アンテナが接続されていないと判断したときは、前記外部アンテナ接続用同軸コネクタを通じて高周波信号を処理することを特徴とする請求項１記載のＰＣカード接続装置。
【請求項３】
前記移動部を前記突出位置に付勢する付勢手段を備え、
前記移動部は、汎用ＰＣカードが前記ＰＣカードスロットに挿入された状態では当該汎用ＰＣカードにより押されて前記退出位置に移動するように構成されていることを特徴とする請求項１または２記載のＰＣカード接続装置。
【請求項４】
前記移動部は、前記突出位置と前記退出位置との間でスライド可能に構成されていることを特徴とする請求項１ないし３の何れかに記載のＰＣカード接続装置。
【請求項５】
前記移動部は、前記突出位置と前記退出位置との間で回動可能に構成されていることを特徴とする請求項１ないし３の何れかに記載のＰＣカード接続装置。
【発明の詳細な説明】
【０００１】
【発明の属する技術分野】
本発明は、ＰＣカード型無線機とＰＣカードスロットとを同軸コネクタにより接続するＰＣカード接続装置に関する。
【０００２】
【発明が解決しようとする課題】
従来、ポータブルＰＣ（ｐｅｒｓｏｎａｌ  ｃｏｍｐｕｔｅｒ）では実装可能なデバイスを拡張するためにＰＣカードスロットを内蔵し、そのＰＣカードスロットに特定機能のＰＣカードを挿入することにより機能の拡張を図るようにしている。
【０００３】
このような特定機能のＰＣカードとしてＰＣカード型無線機が提供されている。このＰＣカード型無線機を製作する場合、アンテナからの無線帯域の高周波信号を受信するために、ＰＣと接続する反対側に別のコネクタを設け、そのコネクタに無線アナログ信号用のケーブルを介してアンテナを接続する必要がある。
【０００４】
しかしながら、このような構成では、ＰＣカード型無線機を取替える際に、無線アナログ信号用のケーブルも差替えなければならず、煩雑である。
また、ＰＣカード自身にアンテナを設置する技術もあるが、小型のＰＣカードにアンテナを設けるにして小型となり、良好な電波状態を得ることが困難であるという問題がある。
【０００５】
このような問題を対処するために、ＰＣカードスロット側に内部アンテナを設けることが考えられるが、ＰＣカードのピンに高周波信号を通電するのは耐ノイズ性の観点から好ましくないと共に、汎用ＰＣカードを挿入した際の互換性を確保することができない。
【０００６】
本発明は上記事情に鑑みてなされたものであり、その目的は、ＰＣカードスロットに挿入されたＰＣカード型無線機が良好な電波状態を得ることができると共に、ＰＣカードスロットに対する汎用ＰＣカードの挿入の互換性を確保することができるＰＣカード接続装置を提供することにある。
【０００７】
【課題を解決するための手段】
請求項１の発明によれば、ＰＣカード型無線機がＰＣカードスロットに挿入されると、ＰＣカードスロットの移動部は突出位置に位置しているので、ＰＣカード型無線機の内部アンテナ接続用同軸コネクタが移動部に設けられている同軸コネクタと接続する。これにより、信号処理手段は、内部アンテナ接続用同軸コネクタを通じてＰＣカードスロットの内部アンテナからの高周波信号を処理することができる。
また、汎用ＰＣカードがＰＣカードスロットに挿入されたときは、移動部が退出位置に位置しているので、汎用ＰＣカードを移動部が支障となることなくＰＣカードスロットに挿入することができる。
【０００８】
請求項２の発明によれば、ＰＣカード型無線機を汎用のＰＣカードスロットに挿入したときは、信号処理手段は、内部アンテナ接続用同軸コネクタを通じて内部アンテナからの高周波信号を処理することができない。このような場合、信号処理手段は、内部アンテナと接続されていないと判断し、外部アンテナ接続用同軸コネクタを通じて高周波信号を処理するようになる。従って、外部アンテナ接続用同軸コネクタに外部アンテナを接続した状態では、ＰＣカード型無線機を汎用のＰＣカードスロットに挿入して使用することが可能となり、ＰＣカード型無線機の汎用性を高めることができる。
請求項３の発明によれば、簡単な構成で移動部を突出位置と退出位置との間で移動することができる。
【０００９】
【発明の実施の形態】
以下、本発明の第１の実施の形態を図１ないし図１２を参照して説明する。
図１は、ＰＣカード型無線機の挿入途中におけるアンテナ内蔵タイプのＰＣカードスロットの横断面を示し、図２は、その縦断面を示している。これらの図１及び図２において、ＰＣカードスロット１は図示しないＰＣに内蔵される。このＰＣカードコネクタ１にはコネクタピン２を有したコネクタ３が設けられており、そのコネクタ３がＰＣのインタフェースと接続される。
コネクタ３には角筒状の保持部４が一体に形成され、その保持部４内にカード挿入通路５が形成されており、このカード挿入通路５にＰＣカードが挿入された状態で当該ＰＣカードがコネクタ３に接続するようになっている。
【００１０】
保持部４においてカード挿入通路５を臨む部位には陥没部６が対向して形成されており、その陥没部６に、スライダ部７がスライド可能に設けられている。このスライダ部７は、圧縮コイルバネ（付勢手段に相当）８により付勢されており、通常時においてはカード挿入通路５に突出した突出位置に付勢状態で位置している。
【００１１】
図３は、スライダ部７の斜視図である。この図３において、スライダ部７は、直方体部９に傾斜面１０ａを有した板状の摺接部１０を一体化した形状をなしており、直方体部９に同軸コネクタ１１が設けられている。
図１に示すように、スライダ部７が突出位置に位置した状態では、摺接部１０の傾斜面１０ａの傾斜面がカード挿入方向に対して斜めに交差している。また、直方体部９に設けられた同軸コネクタ１１はカード挿入通路の挿入方向を指向している。
上記構成のＰＣカードスロット１は、汎用のＰＣカードが挿入可能であると共に、無線機能を有したＰＣカード型無線機が挿入可能に構成されている。
【００１２】
図１及び図２に示すＰＣカードはＰＣカード型無線機を示している。このＰＣカード型無線機１２は、ＰＣカードスロット１に挿入された状態でＰＣと外部機器との間のデータ通信を行うものである。このＰＣカード型無線機１２は、汎用ＰＣカードと略同一形状をなしており、汎用ＰＣカードの形状と異なる点は、先端のＰＣカードコネクタ１３が幅狭となっており、ＰＣカードスロット１に挿入された状態では、突出位置に位置するスライダ部７を避けた形状となっている。また、ＰＣカードコネクタ１３の両側に位置して一対の内部アンテナ接続用同軸コネクタ１４が設けられている。
【００１３】
図４は、ＰＣカードスロット１及びＰＣカード型無線機１２の電気的構成を概略的に示している。この図４において、ＰＣカードスロット１の同軸コネクタ１１は、ＰＣカードスロット１に設けられている内部アンテナ１５と接続されている。
【００１４】
一方、ＰＣカード型無線機１２には制御部（信号処理手段に相当）１６が設けられている。この制御部１６は、Ｉ／Ｆコントローラ１７によりＰＣカードコネクタ３を介してＰＣとデータ通信すると共に、内部アンテナ接続用同軸コネクタ１４を通じて内部アンテナ１５からの高周波信号を処理する。
【００１５】
ＰＣカード型無線機１２において内部アンテナ接続用同軸コネクタ１４と反対側となる部位には外部アンテナ接続用同軸コネクタ１８が設けられている。制御部１６は、内部アンテナ接続用同軸コネクタ１４を通じて内部アンテナ１５が接続されていないと判断したときは、ＲＦ切替部１９を切替えることにより外部アンテナ接続用同軸コネクタ１８を通じて高周波信号を処理するようになっている。
【００１６】
次に、上記構成の作用について説明する。
図示しないＰＣに上記構成のアンテナ内蔵タイプのＰＣカードスロット１が内蔵されている場合には、圧縮コイルバネ８によりスライダ部７がカード挿入通路５に突出した突出位置に位置している。このＰＣカードスロット１にＰＣカード型無線機１２を挿入すると、図１及び図２に示すようにＰＣカード型無線機１２のＰＣカードコネクタ１３が突出位置に位置しているスライダ部７を避けて進行するので、スライダ部７の突出状態は維持される。
【００１７】
ＰＣカード型無線機１２をさらに挿入すると、図５及び図６に示すようにＰＣカード型無線機１２の内部アンテナ接続用同軸コネクタ１４がＰＣカードスロット１側の同軸コネクタ１１と接続するので、図７に示すように制御部１６が内部アンテナ接続用同軸コネクタ１４を通じてＰＣカードスロット１の内部アンテナ１５と接続される。同時に、ＰＣカード型無線機１２のＰＣカードコネクタ１３がＰＣカードスロット１のコネクタ３と接続するので、ＰＣからＰＣカード型無線機１２に電力が供給されるようになる。これにより、ＰＣカード型無線機１２の制御部１６が動作し、内部アンテナ接続用同軸コネクタ１４を通じて内部アンテナ１５が接続されているかを判断するようになる。このとき、制御部１６にはＰＣカードスロット１の内部アンテナ１５が接続されているので、制御部１６は、内部アンテナ接続用同軸コネクタ１４を通じて内部アンテナ１５からの高周波信号を処理すると共に、その処理に応じてＰＣカードコネクタ１３を通じてＰＣとデータ通信を実行する。
【００１８】
一方、図８に示すように上記構成のＰＣカード型無線機１２をアンテナ内蔵タイプでない汎用ＰＣカードスロット２０に装着した場合は、図９に示すようにＰＣカード型無線機１２の外部アンテナ接続用同軸コネクタ１８に外部アンテナ２１を接続する。この場合、ＰＣカード型無線機１２の制御部１６は、内部アンテナ接続用同軸コネクタ１４を通じて内部アンテナ１５が接続されていないと判断し、ＲＦ切替部１９を切替えることにより外部アンテナ接続用同軸コネクタ１８を通じて外部アンテナ２１からの高周波信号を処理する。
以上のようにして、ＰＣカード型無線機１２は、外部機器とのデータ通信をＰＣカードスロット１の内部アンテナ１５或いは自己に接続された外部アンテナ２１からの高周波信号を処理することにより実行することができる。
【００１９】
ところで、上記構成のアンテナ内蔵タイプのＰＣカードスロット１は、ＰＣカード型無線機１２専用ではなく、汎用ＰＣカードも挿入可能に構成されている。つまり、図１０ないし図１２に示すように汎用ＰＣカード２２をＰＣカードスロット１に挿入すると、汎用ＰＣカード２２の先端がスライダ部７を構成する摺接部１０の傾斜面１０ａを押しながら進行するので、スライダ部７はカード挿入通路５から退出するようになる。そして、汎用ＰＣカード２２がＰＣカードスロット１に完全に挿入された状態では、スライダ部７はカード挿入通路５から完全に退出して退出位置に位置するようになる。これにより、汎用ＰＣカード２２をＰＣカードスロット１に電気的に接続することができる。
【００２０】
このような実施の形態によれば、内部アンテナ１５を備えたＰＣカードスロット１に同軸コネクタ１１を有したスライダ部７を設け、ＰＣカード型無線機１２が挿入されたときは、このＰＣカード型無線機１２の内部アンテナ接続用同軸コネクタ１４とＰＣカードスロット１の同軸コネクタ１１とを接続することによりＰＣカード型無線機の制御部１６をＰＣカードスロット１の内部アンテナ１５に接続するようにしたので、制御部１６は、ＰＣカードスロット１の内部アンテナ１５からの高周波信号を処理することができる。従って、ＰＣカード型無線機に無線アナログ信号用のケーブルを介して外部アンテナを接続しなければならない従来例のものと違って、ＰＣカード型無線機１２を取替えるにしても、無線アナログ信号用のケーブルを差替える必要がないので、ＰＣカード型無線機１２の交換を容易に行うことができる。
【００２１】
また、ＰＣカード型無線機１２は、ＰＣカードスロット１に設けられている内部アンテナ１５からの高周波信号を処理するので、ＰＣカード型無線機１２にアンテナを内蔵する構成に比較して、良好な通信状態で外部機器と通信することができる。
【００２２】
さらに、ＰＣカード型無線機１２に外部アンテナ接続用同軸コネクタ１８を設け、ＰＣがアンテナ内蔵タイプのＰＣカードスロット１を内蔵していない場合は、外部アンテナ接続用同軸コネクタ１８に外部アンテナ２１を接続することにより外部機器との通信を可能としたので、ＰＣカード型無線機１２の汎用性を高めることができる。
加えて、制御部１６は、ＲＦ切替部１９によりアンテナからの高周波信号を受信するための同軸コネクタ１４，１８を自動的に切替えるので、使い勝手に優れている。
【００２３】
（第２の実施の形態）
次に、本発明の第２の実施の形態を図１３ないし図１９を参照して説明するに、第１の実施の形態と同一部分には同一符号を付して説明を省略する。この第２の実施の形態は、ＰＣカードスロット１にスライダ部７に代えて回動部を設けたことを特徴とする。
【００２４】
図１３はＰＣカードスロット１に対するＰＣカード型無線機１２の挿入途中状態を示す断面図、図１４はその側面図である。これらの図１３及び図１４において、回動部（移動部に相当）３１は、第１の実施の形態で説明したスライダ部７と略同一形状をなしており、同軸コネクタ１１を有した直方体部９と摺接部１０とからなる。この場合、摺接部１０の先端が軸部１０ｂで回動可能に保持部４に支持されていると共に、圧縮コイルバネ８により付勢されてカード挿入通路５に突出した突出位置に位置していると共に、回動部３１に設けられた同軸コネクタ１１がカード挿入通路５の挿入方向を指向するようになっている。
【００２５】
ＰＣカード型無線機１２をＰＣカードスロット１に挿入すると、図１５及び図１６に示すようにＰＣカード型無線機１２に設けられた内部アンテナ接続用同軸コネクタ１４がＰＣカードスロット１に設けられた同軸コネクタ１１に接続される。これにより、制御部１６は、内部アンテナ接続用同軸コネクタ１４を通じてＰＣカードスロット１の内部アンテナ１５と接続するので、内部アンテナ１５からの高周波信号を処理することができる。
【００２６】
また、汎用ＰＣカード２２をＰＣカードスロット１に挿入したときは、図１７ないし図１９に示すように汎用ＰＣカード２２の先端が回動部３１を構成する摺接部１０の傾斜面１０ａを押すようになるので、回動部３１が回動し、汎用ＰＣカード２２がＰＣカードスロット１に完全に挿入された状態では、回動部３１は退出位置に位置するようになる。
このような実施の形態によれば、第１の実施の形態と同一の作用効果を奏しながら、スライダ部７に比較して回動部３１を容易に設けることができる。
【００２７】
本発明は、上記各実施の形態に限定されることなく、次のように変形または拡張できる。
スライダ部７或いは回動部３１は通常は退出位置に位置し、ＰＣカード型無線機１２の挿入に伴ってカード挿入通路５に突出した突出位置に位置するようにしてもよい。
【００２８】
ＰＣカード型無線機１２は、ＰＣカードスロット１に挿入された際に、アンテナ内蔵タイプでないと判断したときは、例えばＬＥＤを点灯することにより使用者に注意を喚起するようにしてもよい。
ＰＣカード型無線機１２は、スライダ部７或いは回動部３１の有無を検出するセンサにより、ＰＣカードスロット１がアンテナ内蔵タイプか否かを判断するようにしてもよい。
【図面の簡単な説明】
【図１】本発明の第１の実施の形態におけるＰＣカード型無線機の挿入途中状態で示すＰＣカードスロットの横断面図
【図２】ＰＣカードスロットの縦断面図
【図３】スライダ部の斜視図
【図４】全体の電気的構成を示す概略図
【図５】ＰＣカードスロットに対するＰＣカード型無線機の完全な挿入状態で示す図１相当図
【図６】図２相当図
【図７】全体の電気的構成を示す概略図
【図８】汎用ＰＣカードスロットに対するＰＣカード型無線機の挿入状態で示す図１相当図
【図９】図７相当図
【図１０】アンテナ内蔵タイプのＰＣカードスロットに対する汎用ＰＣカードの挿入開始状態を示す図１相当図
【図１１】アンテナ内蔵タイプのＰＣカードスロットに対する汎用ＰＣカードの挿入途中状態を示す図１相当図
【図１２】アンテナ内蔵タイプのＰＣカードスロットに対する汎用ＰＣカードの挿入終了状態を示す図１相当図
【図１３】本発明の第２の実施の形態を示す図１相当図
【図１４】図２相当図
【図１５】図５相当図
【図１６】図６相当図
【図１７】図１０相当図
【図１８】図１１相当図
【図１９】図１２相当図
【符号の説明】
１はＰＣカードスロット、５はカード挿入通路、７はスライダ部（移動部）、８は圧縮コイルバネ（付勢手段）、１１は同軸コネクタ、１２はＰＣカード型無線機、１４は内部アンテナ接続用同軸コネクタ、１５は内部アンテナ、１６は制御部（信号処理手段）、１８は外部アンテナ接続用同軸コネクタ、３１は回動部（移動部）である。
【図１】
2004326332.tif 000003
【図２】
2004326332.tif 000004
【図３】
2004326332.tif 000005
【図４】
2004326332.tif 000006
【図５】
2004326332.tif 000007
【図６】
2004326332.tif 000008
【図７】
2004326332.tif 000009
【図８】
2004326332.tif 000010
【図９】
2004326332.tif 000011
【図１０】
2004326332.tif 000012
【図１１】
2004326332.tif 000013
【図１２】
2004326332.tif 000014
【図１３】
2004326332.tif 000015
【図１４】
2004326332.tif 000016
【図１５】
2004326332.tif 000017
【図１６】
2004326332.tif 000018
【図１７】
2004326332.tif 000019
【図１８】
2004326332.tif 000020
【図１９】
2004326332.tif 000021